Podtech/llm-jp-corpus-v4-ja_patent huggingface dataset:
(57)【要約】【課題】  升目状のゲーム盤に駒を並べ、たとえば３目並べや５目並べなどのように、駒の並び方によって勝負が決まるゲームにおいて、ゲームの展開に変化を持たせたゲーム盤を提供する。【解決手段】  本発明のゲーム盤で使用する駒は球体であって、球体である駒を置くために、ゲーム盤上面は平坦ではなく、駒が転がってゲーム盤から落ちずに置けるよう、縦横、等間隔に凹状のくぼみが形成されている。このくぼみにおいて、隣り合った一部のくぼみ同士が繋がっていて、駒が転がって移動できるような経路をなしている。さらにこの経路が坂路になるように形成されている。そして前記、経路が坂路になっているため、球体である駒は、坂路の高い位置から低い位置に、転がって移動してしまうことにより、ゲームの展開に変化を持たせようとするものである。【選択図】図１
2008018208.tif 000002
【特許請求の範囲】
【請求項１】
ゲーム盤上面に、球体である駒が転がって移動できるような経路を形成させ、さらにその経路が坂路となるように形成されたことを特徴とするゲーム盤。
【発明の詳細な説明】
【技術分野】
【０００１】  駒を並べて、その並び方によって勝負が決定するゲームの、ゲーム盤に関することである。
【背景技術】
【０００２】  従来の３目並べや５目並べなどで使用するゲーム盤は、その上面が平坦で、駒を置く場所を示すために印刷等で升目状の線が描かれ、その升目に合わせて駒を置いていくのである。そして一度置いた駒は動かせないか、または、なんらかのルールや規制によって駒を動かすことにより、ゲームが展開していき勝敗が決まるのである。
【発明の開示】
【発明が解決しようとする課題】
【０００３】  対戦する両者が先手ならびに後手を決め、交互に駒を置いていき、一度置いた駒は動かせない、または動かないことをルールとし、どちらが先に決められた並び方に到達できるかで勝敗が決まる、３目並べや５目並べなどのゲームでは、ほとんどの場合、先手が有利となりゲームのおもしろ味が減少している。【０００４】  また、一度置いた駒を動かすことにより、ゲーム展開に変化を持たせるような駒並べゲームでは、ゲームのおもしろ味を増大させるために、駒の動かし方や置き方に面倒なルールを設定したり、駒の種類を複数種にすることで対処している。【０００５】  本発明のゲーム盤が解決しようとする課題は、先手後手が交互に駒を置いていくというルールだけで、ゲーム展開に変化を持たせようとすることである。
【課題を解決するための手段】
【０００６】  図１に示すように、本発明のゲーム盤１１に使用する駒１６は球体であって、球体である駒を置くために、ゲーム盤上面は、平坦ではなく駒が転がってゲーム盤から落ちずに置けるよう、縦横、等間隔に凹状のくぼみ１２が形成されている。【０００７】  そして前記くぼみにおいて、隣り合った一部のくぼみ同士が繋がっていて、駒が転がって移動できるような経路１３ａまたは１３ｂをなしている。【０００８】  さらに前記、経路が坂路１５ａになるように形成されている。【０００９】  前記、経路が坂路になっているため、球体である駒は、坂路の高い位置から低い位置に移動してしまうことにより、ゲームの展開に変化を持たせようとするものである。
【発明の効果】
【００１０】  本発明の効果を示すにあたり、本発明の形態において最も簡単な形態である、縦３列、横３列のゲーム盤による、３目並べを例に挙げる。【００１１】  本発明による縦３列、横３列のゲーム盤を使って、対戦する両者が先手後手を決め、交互に駒を置いていく時、ゲームの展開上、有効と思われる場所が、坂路の高い位置、または坂路の途中の場合、駒を置きたくとも置けない状況となる。置くことができるのは、坂路の最も低い位置か、あるいは坂路の低い位置から、順次駒が置かれていき、経路が塞がれることで坂路の高い位置に駒を置いても転がらない状況になってからとなる。【００１２】  前記の理由から、複雑なルールが無くとも、ゲームの展開に変化を与え、先手の勝率が下がり、ゲームのおもしろ味が増大するのである。また、例に挙げた縦３列横３列の３目並べは、複雑なルールが無いので幼児から高齢者まで簡単に楽しむことができる。
【発明を実施するための最良の形態】
【００１３】  発明を実施するための最良の形態を示すにあたり、本発明の形態において、最も簡単な形態である、縦３列横３列のゲーム盤による３目並べを例に挙げる【００１４】  例に挙げるゲームのルールは、対戦する両者が先手後手を決め、交互に自駒を置いていき、先に自駒が縦、横、斜め、のいずれか３個並んだほうが勝ちとするものである。【００１５】  ゲーム盤１１は、図１または図２に示すような形状で、材質は限定しないが、樹脂、木、金属などでできている。【００１６】  ゲーム盤に用いられる駒１６は、球体であって材質は限定しないが、転がり易くするために比重が重く、表面が滑らかに加工された、ガラスや金属または石などが望ましい。また、駒は先手後手が識別できるように色分けなどが施されている。
【実施例１】
【００１７】  図１は本発明のゲーム盤の外観図である。ゲーム盤上面に球体である駒１６が置けるような凹状のくぼみ１２を形成し、隣り合う一部のくぼみが繋がっていて経路１３ａまたは１３ｂをなしている。そして経路を坂路にするために、ゲーム盤の裏面中央部に突起体１４を形成させている。【００１８】  このような形状のゲーム盤でゲームを開始した時、先手の第一手の駒が置かれた側が、バランス上その坂路の最も低い位置となってゲームが展開していく。さらに展開次第ではゲーム盤のバランスが崩れ、坂路の高低が逆転し、一度ゲーム盤上に置かれた駒が動くなどして、ゲーム展開にさらなる変化を与えるのである。
【実施例２】
【００１９】  図２は、ゲーム盤上の経路１３ｃを、あらかじめ坂路１５ｂになるように形成した物で、実施例１で挙げた、ゲーム盤裏面の突起体１４が無くとも、ゲーム展開に変化を与えることができる物である。【００２０】  経路や坂路は、図３、図４、図５に示すように様々なパターンが考えられ、実施例１および２に示した形状に限定するものではないが、経路や坂路の形状次第で、ゲーム展開や先手および後手の勝率が変化するものである。
【図面の簡単な説明】
【００２１】
【図１】    本発明の実施例１を表す外観図および部分断面図
【図２】    本発明の実施例２を表す外観図および部分断面図
【図３】    実施例１の別パターンを表す参考図
【図４】    実施例１の別パターンを表す参考図
【図５】    実施例２の別パターンを表す参考図
【符号の説明】
【００２２】    １１      ゲーム盤
１２      くぼみ
１３ａ    経路
１３ｂ    経路
１３ｃ    経路
１４      突起体
１５ａ    坂路
１５ｂ    坂路
１６      駒
【図１】
2008018208.tif 000003
【図２】
2008018208.tif 000004
【図３】
2008018208.tif 000005
【図４】
2008018208.tif 000006
【図５】
2008018208.tif 000007
(57)【要約】      （修正有）【課題】車いすの階段昇降時、低圧タイヤと補助の小車輪を支えに使うことにより、階段の出っ張りを低圧タイヤ内に吸収させ、安全かつ滑らかに昇降する低圧タイヤ併用による階段昇降車いすを提供する。【解決手段】平地は通常の前後車輪で走行し、低圧タイヤ３と小車輪７を設置した底基盤４は上部に収納しておく。階段に近づいたら、底基盤４を下ろして、低圧タイヤ３と補助小車輪７を着地させ、これで車椅子を支える。階段に沿って車椅子を引き上げると、低圧タイヤ３は階段の角の出っ張りを内部に吸収しながら滑らかに上っていく。小車輪７を上下に動かし低圧タイヤ３を支えることにより、より安全に昇降させることができる。【選択図】図４
2008018206.tif 000002
【特許請求の範囲】
【請求項１】
（１）タイヤの断面高さが、階段の一段の高さより大きい肉厚のゴムチューブ１に、弾力性のある保護用ゴムカバー２をつける。
（２）ゴムチューブ１の空気圧は階段の角の部分を内部に吸収できる程度の低圧に設定する。
（３）以上のように構成された低圧タイヤ３を、車椅子の底に連結する底基盤４に四輪設置する。
（４）低圧タイヤの側に、底基盤上を支点とする回転体５を設置し、これにシリンダーにより上下移動可能な支柱６をつける。
（５）支柱６の先端に小車輪７を付ける。
（６）以上のような低圧タイヤ３と小車輪７を設置した底基盤４を、ジャッキ８により上下移動可能な状態で、車いすの本体に連結させる。
（７）以上のように構成された、通常車輪と低圧タイヤとの併用による階段昇降車いす。
【発明の詳細な説明】
【技術分野】
【０００１】  本発明は車いすが、階段昇降時、滑らかかつ滑り落ちることなく安全に昇降できる車輪システムを提供するものである。
【背景技術】
【０００２】  車輪で走行する車いすが階段を昇降することは、極めて危険であり、スロープをつけるか、エレベーターを利用する外なかった。
【発明の開示】
【発明が解決しようとする課題】
【０００３】  角ばった階段を丸い車輪が滑らかに昇降するには、タイヤの車軸が階段の傾斜角と平行に移動しなければならない。元来タイヤは道路上の小さな凸凹をタイヤ内に吸収することによって車軸自体を揺らすことなく滑らかに移動させるものであるが、その凸凹が階段のように傾斜していたり、大き過ぎたりすると、高い空気圧が邪魔をして吸収しきれない。これを吸収させるためにはドーナツ状ゴムチューブの内部気圧を減らしてタイヤの形が柔軟に変形させる必要がある。しかし平地走行の時はタイヤが低圧では滑らかにに回転しない。
【課題を解決するための手段】
【０００４】  そこで、平坦な道路のときは、空気圧の高い通常の車輪で走行し、階段昇降時は通常車輪の上部に収納していた低圧タイヤ３を下ろして走行する。タイヤは内部気圧が低いので車いす自体は少し沈下するが、階段の角張った部分が低圧タイヤに食い込むにしたがい、滑らかに登る。【０００５】  階段の高さが大きくて、低圧タイヤだけでは滑らかに乗り越えられないときは、低圧タイヤの側に設置した小車輪７を地面に垂直に下ろし、車椅子の沈下を抑えながらこれを支えとして低圧タイヤを安全かつ滑らかに昇降させる。低圧タイヤが一段登ったら、小車輪をその段まで上げて、新たに低圧タイヤを支える。階段を降りるときも、小車輪を上下に動かしながら低圧タイヤの降下を滑らかにさせる。
【発明の効果】
【０００６】  この低圧タイヤは、角ばった階段に沿ってくぼみ変形するから、階段面との接触面が多くなり、滑り落ちる危険は減少する。また小車輪が支えの役目を果たすので安全面でも有意義である。さらに、道路上の障害物を乗り越えたり、砂利道走行にも適している。【０００７】  また、本発明は車椅子に限らず、旅行用キャリーケースや荷物運搬車両などの階段の上り下りを容易にするものである。
【発明を実施するための最良の実施の形態】
【０００８】  実施例について図面を参照して請求項１を説明すると、平地は図１のように通常の前後車輪で走行し、低圧タイヤ３と補助用の小車輪７を設置した底基盤４はジャッキをたたんで上部に収納しておく。
【０００９】  階段に近づいたら、底基盤４を下ろして、低圧タイヤと小車輪を着地させ、これらで車いすを支える。階段の出っ張りは低圧タイヤ内に吸収されるので、車いす自体は滑らかに登る。
【００１０】  階段に沿って車を引き上げる時、支柱６を垂直に下へ押し出すことにより、小車輪７を支えとして低圧タイヤの沈下を抑え、さらにこの小車輪をテコとすることにより、低圧タイヤの昇降をより滑らかにさせることができる。
【００１１】  低圧タイヤが一段登ったら、小車輪をその段の位置まで引き上げ、低圧タイヤが次の段を登るための支えにする。
【００１２】  旅行用キャリーケースに本件の低圧タイヤと補助の小車輪を取り付ければ、駅の階段などの上り下りが楽になる。
【００１３】  荷物運搬車両に本件の低圧タイヤと補助の小車輪を取り付ければ、重い荷物の階段の上り下りが安全に行える。
【図面の簡単な説明】
【００１４】
【図１】平地走行中の車椅子の側面図
【図２】平地走行中の車椅子の正面図
【図３】低圧タイヤと小車輪を下ろした車椅子の側面図
【図４】低圧タイヤと小車輪が階段を昇降する状態を示す側面図
【図５】階段を昇降する車椅子の側面図
【符号の説明】
【００１５】  １  ゴムチューブ
２  保護用ゴムカバー
３  低圧タイヤ
４  底基盤
５  回転体
６  支柱
７  小車輪
８  ジャッキ
【図１】
2008018206.tif 000003
【図２】
2008018206.tif 000004
【図３】
2008018206.tif 000005
【図４】
2008018206.tif 000006
【図５】
2008018206.tif 000007
(57)【要約】【課題】軽く魅力的な歯科用／外科用器具を提供すること。【解決手段】医療関係者が把持する本体を有する歯科／外科用ハンドピースにおいて、前記本体は、チタン・モリブデン合金製である。【選択図】なし【特許請求の範囲】
【請求項１】
医療関係者が把持する本体を有する歯科／外科用ハンドピースにおいて、
前記本体は、チタン・モリブデン合金製である
ことを特徴とする歯科用又は外科用ハンドピース。
【請求項２】
前記チタン・モリブデン合金は、８０重量％のチタンと、残りがモリブデンからなる
ことを特徴とする請求項１記載のハンドピース。
【発明の詳細な説明】
【技術分野】
【０００１】
本発明は、歯科用／外科用ハンドピースに関し、特に、その本体が機械加工しやすい軽い材料から形成される歯科用／外科用器具に関する。
【背景技術】
【０００２】
ハンドヘルドの歯科用／外科用器具は２種類ある。第１の種類の歯科用／外科用器具は、圧縮空気により駆動されるモータに結合されるタービン例えばドリルの用ツールである。この種のモータは、２．５−３バールの空気圧により毎分数十万回転する。この種のタービンの本体は、医療従事者が手で掴むものであるが、電力源と流体（空気、水）供給装置に、接続導体とフレキシブルなパイプを介して、接続される。
【０００３】
第２の種類の歯科用／外科用器具は、ハンドピースと逆角取付具とを有する。ハンドピースと逆角取付具は、ハンドピースの本体がストレートであり、逆角取付具は長さ方向のある点で曲がっている点で、異なる。残りの部分は、これら２種類の器具は、非常に類似する。モータは、ハンドピース又は逆角取付具に取り付けられ、毎分数万回で回転するが、その為、パイプを介して電力（又は流体）パワー供給ユニットに固定あるいは回転可能に接続される。
【０００４】
本明細書では、歯科用／外科用器具は、一般的なハンドピースとして示されているが、歯科／外科用器具のタービンと逆角取付具とを含む。
【０００５】
医療関係者が、その職業柄日常的に使用するハンドピースに関連して頻繁に抱く苦情は、この様な器具の耐摩耗性と重量に関する。実際にこれらのハンドピースは、真鍮製あるいはステンレス製である。真鍮は、容易に酸化し易く、錆びない材料を堆積して表面処理をしなければならない。この層は、比較的脆弱で、摩耗しやすく、容易に傷が付きやすく、その結果下の真鍮層が現れやすく、医療関係者に低品質の器具の印象を与えてしまう。他方、ステンレスは、ハンドピースのデザイナーには、機械加工性、硬さ、耐腐食性の点で評価されているが、非常に重いという欠点がある。かくして、ステンレス製のハンドピースは、重く、それを一日数時間手で持つ者にとって、疲れの原因となる。
【０００６】
歯科用／外科用ハンドピースの耐摩耗性と重量の問題を解決するため、様々な試みがなされている。チタンで歯科用／外科用ハンドピースの本体を形成することは、既に提案されている。この材料は、耐摩耗性と軽さの点で二重の利点がある。しかしこの材料は、自動発火の問題があるため、機械加工が難しい。実際に、ハンドピースをチタンで製造するために、バーをこの材料で製造し、その後、穿孔、機械加工し、ネジ切り等の機械加工をする。その結果得られたハンドピースの本体は、デザイナーの要求に叶うようになる。機械加工器具が高速で回転するために、チタンは、自然発火し易く、産業上の環境では、これは受け入れがたいものである。この問題を解決するために、チタン製バーを無酸素環境で機械加工することも可能であるが、これは限られており、作業を非常に困難なものにする。更にチタンを機械加工すると、削りカスが形成され、機械加工器具に付着しやすい。チタンバーに孔を空けるために、何回か切断しなければならないことは稀ではなく、製造業者は、連続する切断プロセスの間、ドリル器具の周囲に溜まったチタンの削りカスを取り除かなければならない。最後にチタン製のハンドピースには、審美的な問題がある。チタンの色は、非常に冷たく、目に不快なものである。
【発明の開示】
【発明が解決しようとする課題】
【０００７】
本発明の目的は、上記の欠点を解決することであり、本発明は、軽く魅力的な歯科用／外科用器具を提供することである。
【課題を解決するための手段】
【０００８】
本発明は、作業者が掴む本体を有する歯科／外科用ハンドピースにおいて、その本体は、チタン・モリブデン合金製であることを特徴とする。
【０００９】
本発明は、軽さと、耐摩耗性と、機械加工のし易さの特性をを有する材料から形成された歯科／外科用器具を提供する。チタン・モリブデン合金は、純粋なチタンよりも遙かに機械加工し易い。特にチタン・モリブデン合金のバーにドリルで孔を空けたり、ネジ切りしたり、機械加工する時には、削り取られた材料は、粉末の形態（これに対し純粋チタンの場合は削りカスであるが）であり、この為機械加工を簡単にできる。チタン・モリブデン合金は、高速で回転するツールを用いて機械加工しても、発火することはなく、この為、作業環境でこの材料（チタン・モリブデン合金）で作業することは、遙かに安全となる。
【実施例】
【００１０】
チタン・モリブデン合金は、高い機械的耐性があり、極めて軽く、この為、この材料で製造された歯科／外科用ハンドピースの使用し易さを改善する。チタン・モリブデン合金の他の決定的な利点は、耐腐食性が極めて大きいことである。これは器具が、様々な洗浄、消毒、殺菌の処理により、特に力が掛かるような歯科あるいは外科の分野では、決定的なファクターである。チタン・モリブデン合金製のハンドピースは、非常に暖かい白色で目にも優しい。チタン・モリブデン合金を更なる表面処理の層でコーティングする必要がない。例えばマイクロ−ブラスティングにより合金の表面の簡単な機械加工処理で、その前の機械加工のラインを消すのに十分であり、かつ優れた表面状態を提供する。これにより大きな節約がなされ、更に非常に速く摩耗する追加的表面処理層の問題を回避できる。更にチタン・モリブデン合金は、生物適合性の観点からも、あらゆる要件を満たすことができる。
【００１１】
本発明の更なる特徴によれば、チタン・モリブデン合金は、約８０重量％のチタンと残りがモリブデンからなる合金である。
【００１２】
以上の説明は、本発明の一実施例に関するもので、この技術分野の当業者であれば、本発明の種々の変形例を考え得るが、それらはいずれも本発明の技術的範囲に包含される。
(57)【要約】【課題】スクワットをする時に、上がらなくなり、つぶれてケガしないために、バーベルを下に置いてバーベルの中心に滑り防止帯３と、グリップをつけ、ロープ４で縛って固定してするグリップを用いたスクワットのトレーニングを提供する。【解決手段】Ｕ字型グリップ１、この２ヶの両先端同志を、Ｖ字状に組み合わせ固定し、このＵ字型グリップ部１の両先端の固定部に、棒状のロープ固定片２を固着したグリップの、Ｖ字部６と、バーベルのシャフト５の間に、滑り防止帯３を介在させて、グリップのロープ固定片２と、バーベルのシャフト５に、ロープ４で縛り固定する。グリップを用いたスクワットのトレーニング方法を特徴とする。【選択図】図１
2008018255.tif 000002
【特許請求の範囲】
【請求項１】
Ｕ字型グリップ１、この２ヶの両先端同志を、Ｖ字状に組み合わせ、固定し、このグリップ部の両先端の固定部に、棒状のロープ固定片２を固着したグリップ。
【請求項２】
請求項１記載のグリップのＶ字部６と、バーベルのシャフト５の間に、滑り防止帯３を、介在させて、上記、ロープ固定片２と、バーベルのシャフト５に、ロープ４で縛り固定して筋力トレーニングをする請求項１記載のグリップそれを用いたスクワットのトレーニング方法。
【発明の詳細な説明】
【技術分野】
【０００１】  この発明は、バーベルの中心にグリップを、滑り防止帯３とロープ４で取り付けてする、下からのバーベルの中心にまたがって、グリップそれを用いたスクワットのトレーニングである。
【背景技術】
【０００２】  従来のスクワットは、バーベルを首の後ろの肩にしょって、上からするスクワットだった。
【発明の開示】
【発明が解決しようとする課題】
【０００３】  これは次のような欠点があった。従来のスクワットというのは、回数を増やしたり、重量を重たくすると、つぶれる心配や、ケガがをする可能性が多くなる。グリップそれを用いたスクワットのトレーニング方法の場合、下からなので、つぶれることがなく、安全で、かつ、脚のトレーニングの回数が何回でもこなすことが出来、いままでにできなかった重たい重量にも挑戦することが可能で従来のスクワットと違い腰を痛めにくいのが特徴である。本発明は以上のような欠点をなくすためになされたものである。
【課題を解決するための手段】
【０００４】  Ｕ字型グリップ１、この２ヶの両先端同志を、Ｖ字状に組み合わせ、固定し、このＵ字型グリップ１の両先端の固定部に、棒状のロープ固定片２を固着したグリップの、Ｖ字部６と、バーベルのシャフト５の間に、滑り防止帯３を介在させて、グリップのロープ固定片２と、バーベルのシャフト５に、ロープ４で縛り固定するグリップを設ける。
本発明は、以上の構成よりなるグリップそれを用いたスクワットのトレーニング方法である。
【発明の効果】
【０００５】  下にバーベルを置いてするグリップを用いたスクワットの筋力トレーニング方法なので、やる気になれば何回でも回数が出来、今まで上げた事のない重量に挑戦でき、そして腰を痛めにくく、従来のスクワットと違い、大腿四頭筋、カーフ、広背筋、体幹が強く、大きく働くため、スポーツでは、脚が強く、速くなり、身体が瞬敏に動けるようになるのが特徴である。
今は、高齢化社会で、お年寄りが増えています。スクワットの上げかたが簡単なため、お年寄りも手軽にすることが出来、寝たきりになるのを、防ぐ事につながります。
【発明を実施するための最良の形態】
【０００６】  以下、本発明を実施するための最良の形態について説明する。
Ｕ字型グリップ１、この２ヶの両先端同志を、Ｖ字状に組み合わせ、固定し、このＵ字型グリップ１の両先端の固定部に、棒状のロープ固定片２を固着したグリップの、Ｖ字部６と、バーベルのシャフト５の間に、滑り防止帯３を介在させて、グリップのロープ固定片２と、バーベルのシャフト５に、ロープ４で縛り固定する。
本発明は、以上のような構造である。これを使用する時は、従来のスクワットの姿勢でしゃがみ、Ｕ字型グリップ１を手で持ってスクワットの姿勢で、ふんばって立ち上がり、できるだけ姿勢をまっすぐにして、スクワットの要領でしゃがみこむ。
【図面の簡単な説明】
【０００７】
【図１】  本発明の正面図である。
【図２】  本発明の側面図である。
【図３】  本発明の利用方法の側面図である。
【図４】  本発明の利用方法の正面図である。
【符号の説明】
【０００８】  １  Ｕ字型グリップ
２  ロープ固定片
３  滑り防止帯
４  ロープ
５  シャフト
６  Ｖ字部
【図１】
2008018255.tif 000003
【図２】
2008018255.tif 000004
【図３】
2008018255.tif 000005
【図４】
2008018255.tif 000006
(57)【要約】      （修正有）【課題】箸を直接、食卓に置いても箸の先に付いている食物の滓が食卓に付着して食卓が汚れることが無く、又、食卓のゴミが箸に付着することも無い、衛生的な箸を提供すること。【解決手段】箸で物を摘むのに邪魔に成らない様に棒状の箸の箸先より５センチから６センチぐらいの位置に、ふっくらと太く膨らましを付けたり、輪を嵌めたように太く膨らましを付け、箸の一部分の周りを太くし、箸を食卓直接に置いても箸の先が食卓に接触しない箸を作る。【選択図】図３
2008018217.tif 000002
【特許請求の範囲】
【請求項１】
箸の一部の周りを太く膨らました箸
【発明の詳細な説明】
【技術分野】
【０００１】箸の一部の周りを太く膨らます事。箸の太く膨らました部分が箸置きの代わりになり箸置きが不用となる。この箸を直接食卓に置いても、作られた膨らみにに依って箸の先が食卓から離れ直接食卓に接触しなくなる。
【背景技術】
【０００２】私達は食事をする場合に高級な飲食店などに於いてはテーブルには箸置きが用意しているので箸を置くときそれを使用している、しかし大衆の飲食店や家庭では普通箸置きは日常使用されていないのが現状である、
飲食の時に箸置きが無いと箸を直接食卓に置くようになり、直接箸を食卓に置くと従来の箸は箸の先が食卓に触れる事となり不衛生である。
長い年月の間、今までの箸は只の棒状のものであり物を摘まむことだけを目的としていた。
そこでこの発明は只の棒状の箸の一部分の周りを太く膨らます事によってこの箸は、その膨らみに依り箸置きを必要としない。
箸置きを支用しないで箸を直接食卓に置いてもこの作られた箸は箸先がテーブルに触れる事が無いので衛生的である。【０００３】箸で物を摘まむのに箸の一部の周りを太く膨らますと箸で物が摘まみ難いと思われが、それは箸の先より５センチから６センチ位の所の部分の周りを太く膨らますのであれば、その膨らみは箸を使用するのには少しも邪魔に成らないことが解かった。、色々な物を摘まんで実験をしたが良好であった。
【発明の開示】
箸を使用する場合に其の箸を使用する時に不衛生に成らない事を解決して衛生的な箸にする事。
【発明が解決しょうとする課題】
【０００４】箸を使用する場合箸を直接食卓等に置くと箸の先に付いている食物の滓が食卓に付着したり、又反対に食卓のゴミが箸に付着したりして汚く不衛生的である。それを箸の一部の周りを太く膨らますことに依って、その箸は、箸にゴミや滓の付着しない衛生的な綺麗な箸が作られた。、衛生的な箸を作ろうとする課題が解決した。
【課題を解決するための手段】
【０００５】本発明は従来の棒状の箸に一部（箸先より５センチから６センチぐらい）位置を一部の周りを太く膨らます事により解決した。
【発明の効果】
【０００６】実際に太く膨らましを付けた箸を使用して、箸の使用目的で有る、物を摘まむことを実験してみたがそれに関しては箸を使用するのに全く不便を感じる事は無かった。又箸を食卓に直接に置いても箸の先は食卓に接触しないので衛生的である。
【発明を実施するための最良の形態】
【０００７】棒状の箸の一部分の周りを太く膨らました形態を作った。
【実施例】
【０００８】図１は従来から使われている棒状の箸。【０００９】図２は（ロ）箸の一部分の周りにふっくらと太く膨らましを付けた箸。
（ハ）箸の一部分の周りに輪を嵌めたように太く膨らました箸。【００１０】図３  （ニ）は（Ｂ）の食卓（テーブル）の上に置かれたの箸置き（Ａ）に棒状の箸を置        いたもの。
（ホ）は（Ｂ）の食卓（テーブル）に（ロ）の箸を直接置いたもの。
（ヘ）は（Ｂ）の食卓（テーブル）に（ハ）の箸を直接置いたもの。
【産業上の利用可能性】
【００１１】従来の箸は棒状のもので只物を摘まむだけのものであったが、この発明では箸の一部の周りに太い膨らみを付ける事により今までに無かった新しい形の箸が作られた。その新しい箸に依って箸置きも必要が無くなり、又箸を直接食卓に置いても箸の先が食卓に接触すること無く衛生的である。
従って箸置きを用意する事も無く、食卓に直接どこにでも箸を置くことが出来る。又何といっても衛生的である。
【図面の簡単な説明】
【００１２】図面１
今まで使われていた棒状の箸を示した箸の図である。
図面２
箸の周りに太い膨らましを付けた箸２種類を示した図である
図面３
今までの箸と箸の周りを太い膨らましを付けた箸を食卓に置いて比較し、箸置きが無くても箸先が食卓に接触しないことを示した図である。
【図１】
2008018217.tif 000003
【図２】
2008018217.tif 000004
【図３】
2008018217.tif 000005
(57)【要約】【課題】横向きに寝ころがった状態で体を好みの角度に、しかも楽に保持するための横向き安楽補助枕を提供する。【解決手段】布製袋に三角柱形の低反発ウレタンを内包したものを２個連結し、折りたたむか展開することで普通の枕と横向きで安楽な姿勢が保たれることを特徴とする横向き安楽補助枕。【選択図】図２
2008018213.tif 000002
【特許請求の範囲】
【請求項１】
正三角柱の低反発ウレタンを布カバーで包み、その折り返し点で２つ折りとなり、展開すれば三角枕、たためば普通の枕になることを特徴とする自在展開が可能な横向き安楽補助枕である。
【発明の詳細な説明】
【技術分野】
【０００１】  本発明は、横向きで休息する時、背後から挿入することにより楽に姿勢を保持できる横向き安楽補助枕である。
【背景技術】
【０００２】  本来、枕そのものは頭部を保持し安眠休息をする用具として使用されているが、本発明は上半身の体重の大半を横向きのまま好みの角度に保持し、楽な体形を永く維持しようとする点にある。
【発明の開示】
【発明が解決しようとする課題】
【０００３】  得手して日本人はゴロ寝をしながらテレビを見る、あるいは新聞雑誌を読むことを好む人種のようである。横向きのままその体形を永く維持するのは意外と疲れて大変である。本発明はこの問題点を解決するためになされたものである。
【課題を解決するための手段】
【０００４】  三角柱形の低反発ウレタンを、布製の収納袋に取り付けたファスナーを開閉し包み込んだものを２個連結し、中心部で２つ折りとする。展開された三角柱の合面には脱着を容易にするためにマジックテープが装着してあり、開いた段階では肩から腰部まで十分にカバーできる長さとなる。この三角柱が床面と横向きの体の隙間を埋め支えてくれ、楽な体勢を保たせる。以上を特徴とする横向き安楽補助枕である。
【発明の効果】
【０００５】  疲れた時に寄りかかる、あるいは椅子の背もたれなど、体を部分的に支えてくれるものがあることによって肉体の疲労度はかなり軽減されるものである。前述した様に横向きで、またゴロ寝状態で、好みの角度を永く保持することも去ることながら何よりも楽ちんなのが良い。
【発明を実施するための最良の形態】
【０００６】  以下、本発明の実施の形態について説明する。
（イ）中央の（６）でつながった布製袋（５）のファスナー（４）を開け、左右対称の低反発ウレタンの三角柱（１）を挿入。
（ロ）図２に示す様に、展開した相対する部分にマジックテープ（２）を装着する。
本発明は以上の様な構成で、これを使用する時は（１）を開きマジックテープ（３）を密着させることにより、折りたたみ時の２倍の寸法とする。それを図４（ａ）の要領で背部から腰部にかけ挿入して使用する。
また、展開したものを折りたためば図４（ｂ）の様に頭部を支える普通の枕としても使用できる。
（ハ）本発明では低反発ウレタンを身体保持素材として使用しているが、使用者の好みによりソバがらや小豆などを差し替え使用することも可能である。
（ニ）高齢の要介護者の着衣の取替の時、腰部にかうことにより衣服類の脱着が極めて容易に行えるという利点もある。（図５）（ｃ）
【図面の簡単な説明】
【０００７】
【図１】  本発明の斜視図
【図２】  本発明を展開した斜視図
【図３】  本発明の接合部を切り欠いた斜視図
2008018213.tif 000003
【符号の説明】
【０００８】  １  低反発ウレタン
２  長方形マジックテープ
３  三角形マジックテープ
４  ファスナー
５  布製袋
６  布製袋接合部
【図１】
2008018213.tif 000004
【図２】
2008018213.tif 000005
【図４】
2008018213.tif 000006
【図５】
2008018213.tif 000007
【手続補正書】
【提出日】平成18年9月25日(2006.9.25)
【手続補正１】
【補正対象書類名】明細書
【補正対象項目名】０００７
【補正方法】変更
【補正の内容】
【０００７】
【図１】  本発明の斜視図
【図２】  本発明を展開した斜視図
【図３】  本発明の接合部を切り欠いた斜視図
【図４】  本発明を横向きと普通の枕として使用中の実施例を示す
【図５】  要介護者への腰部使用例を示す斜視図
【手続補正２】
【補正対象書類名】図面
【補正対象項目名】全図
【補正方法】変更
【補正の内容】
【図１】
2008018213.tif 000008
【図２】
2008018213.tif 000009
【図３】
2008018213.tif 000010
【図４】
2008018213.tif 000011
【図５】
2008018213.tif 000012
(57)【要約】      （修正有）【課題】伸縮自在なゴム紐等に軽量で軟らかい材質のポリエチレン等を付けて、安全で簡単に手の指と腕の運動が一緒に出来る健康器具を提供する。【解決手段】伸縮自在なゴム紐等１の両側に手の指の入る穴２を設けた軽量で軟らかい材質のポリエチレン等３を付けて、上記穴２に左右の手の指を入れ、上下左右、及びいろいろな方向に上記ゴム紐等１を引っ張っても、上記ゴム紐等１と上記ポリエチレン等３が離れない付け方をする。安全で簡単に手の指と共に腕の運動が出来る健康器具である。【選択図】図１
2008018211.tif 000002
【特許請求の範囲】
【請求項１】
伸縮自在なゴム紐等の両側に軟らかい材質のポリエチレン等を付けて手の指と腕の運動が一緒に出来る健康器具。
【請求項２】
伸縮自在なゴム紐等の両側に手の指が入る穴を設けた軟らかい材質のポリエチレン等を付けた請求項１記載の健康器具。
【発明の詳細な説明】
【技術分野】
【０００１】  本発明は、伸縮自在なゴム紐等に軽量で軟らかい材質のポリエチレン等を付けた手の指と腕の運動が一緒にできる健康器具に関する。
【背景技術】
【０００２】  従来の健康器具で手の指と腕の運動が一緒にできるものはなかった。
【発明の開示】
【発明が解決しようとする課題】
【０００３】  従来の健康器具で安全で簡単に、手の指と腕の運動が一緒にできるものはなかった。【０００４】  本発明は、伸縮自在なゴム紐等に軽量で軟らかい材質のポリエチレン等を付けて、安全で簡単に手の指と腕の運動が一緒に出来ることを目的とするものである。
【課題を解決するための手段】
【０００５】  本発明は、上記目的を達成するために軽量で軟らかい材質のポリエチレン等に伸縮自在なゴム紐等を付けたものである。【０００６】  上記解決手段による作用は、安全で簡単に手の指と腕の運動が一緒に出来る。
【発明の効果】
【０００７】  上述したように本発明の健康器具は、安全で簡単に手の指と腕の運動が一緒に出来るので、病中病後のリハビリ等に使用できる。【０００８】  性別、年齢に関係なく快適な運動を提供できる。【０００９】  軽量で携行しても支障がないので、広く活用出来るという効果を発揮するものである。
【発明を実施するための最良の形態】
【００１０】  以下、本発明の実施の形態を図１〜図２に基づいて説明する。【００１１】  図１で示すように、伸縮自在なゴム紐等１の両側に手の指が入る穴２を設けた軽量で軟らかい材質のポリエチレン等３を付ける。【００１２】  上記ゴム紐等１と上記ポリエチレン等３の付け方であるが、図１のように上記穴２に２本の上記ゴム紐等１の両端４，５を通す。【００１３】  そして、通した上記ゴム紐等１の形状が丸等の場合、上記両端４，５と上記ゴム紐等１の体とを強固に結ぶ。結び方は図１の場合、真結びであるが限定するものではない。【００１４】  また、上記ゴム紐等１が四角等の形状の場合、図２のように上記穴２に通した上記両端４，５と上記ゴム紐等１の体を任意の長さ重ね、重ねた部分Ｐを接着剤等で強固に接着しても良い。【００１５】  要するに、上記ゴム紐等１の両側に上記ポリエチレン等３を付けて、上記穴２に左右の手の指を入れ、上下左右、及びいろいろな方向に上記ゴム紐等１を引っ張っても、上記ゴム紐等１と上記ポリエチレン等３が離れなければどんな付け方をしても良いものとし、限定するものではない。【００１６】  上記穴２の大きさであるが、上記ゴム紐等１を通しても手の指が個別に、又は複数本入いる大きさとし限定するものではない。また、形状も限定するものではない。【００１７】  上記ゴム紐等１の長さＬは、上記ゴム紐等１が縮んだ状態で人の肩幅位の２０センチから３０センチ位が好ましいが限定するものではない。【００１８】  上記穴２の数は５個が好ましいが限定するものではない。また、上記ゴム紐等１の本数及び上記ゴム紐等１を通す上記穴２の位置も限定するものではない。
【図面の簡単な説明】
【００１９】
【図１】  本発明の実施の形態の斜視図である。
【図２】  本発明の実施の形態の斜視図である。
【符号の説明】
【００２０】  １  伸縮自在なゴム紐等
２  手の指が入る穴
３  手の指が入る穴を設けた軽量で軟らかい材質のポリエチレン等
４，５  伸縮自在なゴム紐等の両端
Ｌ  伸縮自在なゴム紐等が縮んだ状態の長さ
Ｐ  伸縮自在なゴム紐等の端と伸縮自在なゴム紐等の体を任意の長さ重ねた部分
【図１】
2008018211.tif 000003
【図２】
2008018211.tif 000004
(57)【要約】      （修正有）【課題】ハンガーのフックの下に、下向き垂直にフックを付けると、ハンガーを連結出来るので使い良いが、下のフックが出っ張っているので運搬保管に邪魔になる、しかもプラスチック成形するときフックの離型が難しい。【解決手段】フック１の下を切り欠いて、中央のリブと外周が丁字に交わる所２を露出させる。丁字は出っ張ることなく、連結される下のハンガーのフックを強力に保持する。【選択図】図２
2008018200.tif 000002
【特許請求の範囲】
【請求項１】
ハンガーのフック下中央部分に、Ｌ状のリブと平面部分が丁字に交わる構造を付ける事で、別のハンガーのフックを掛ける事が出来るハンガー
【発明の詳細な説明】
【技術分野】
【０００１】  本発明は、プラスチック衣類用ハンガーを低コストで、成型出来る上に連結出来る、使い良い形状に関するものである。
【背景技術】
【０００２】  ハンガーに、通常の上のフックとは別に下向きにフックを付けると、ハンガーにハンガーを吊り下げられる。するとバーが不要になりスカート専用のハンガーがセットできるのでとても使いよい。しかしフックが下向きで平面では、吊り下げるハンガーフックと平行になり、交さしないので吊り下げられない。それで交差する下向き垂直にするには、プラスチック成形型からの離型が出来ない形なので、コスト高に成る。【０００３】  下向きフックを垂直にすると上のフックの離型すると下フックが離型できない向きに成っている。その上フックは片もちばりなので強度が弱い欠点があった【０００４】
【特許文献１】  特開２００５−２７０５８７号公報
【特許文献２】  特開２００２−３３６１１７号公報
【発明の開示】
【発明が解決しようとする課題】
【０００５】  フックを下向き垂直にすると保管、運搬するとき垂直に出っ張ったフックは、重ならなくてすわりが悪く接触した所を傷つける。衣服を掛けて陳列すれば、下向き垂直に出っ張ったフックが衣服を傷つける、問題があります。下向きにフックを取り付けると強度を持たすには多くの材料が、必要です。
【発明の効果】
【０００６】  本発明よる成型加工は、通常の加工と何一つ増加する事がなく少ない材料で、出っ張っている所がないのでコストは、減少する。にもかかわらずバーが要らなくなる、その上保管運搬陳列のスペースが少なくなり、使用する側にも重ねて少コストで使いやすい。
【発明を実施するための最良の形態】
【０００７】  本考案は、プラスチックハンガーを成形するのに無理のなく離型出来る形なので、型の分割面を変形させるだけで生産できる。その上、丁字に係る加重は３点に分散しすべて引っ張り荷重なので少ない材料で強力に、保持出来る。
【実施例１】
【０００８】  図１は、本発明の使用例の正面と、側面断面図です。図２は、本考案のハンガーの正面図と側面図と背面図です。【０００９】  図２のハンガーの形状の成型金型は、フックを上に、ハンガー内部のコアを下に分割して製品を取り出すので、フックの形状が取り出せないため、別に作ったフックを成型したハンガー本体に組付けるのが一般的です。しかし本考案者が以前考案申請した特願２００３−３２９６７０の技術を使用すれば一度で成型可能で尚良い。【００１０】  図３は、図１で示した分割方向を、上下でなく、前後にするとＬ状のリブと平面部分が丁字に交わる構造を付けた本考案の丁字部を示す。【００１１】  ハンガーフックを上にして、前後に分割する型構造にする時には、分割面に段差をつける事で簡単に丁字の交点を露出させる事が出来る。
【産業上の利用可能性】
【００１２】  本考案のプラスチックハンガーの、省コストは生産する時よりも、使用する時の方がより多い。服を掛けて運搬する時は上下に隙間なく運べるので運送代が安くなります。その上商店では、陳列密度が増すの店舗面積売り上げが増す。
【図面の簡単な説明】
【００１３】
【図１】本発明の使用例の正面と、側面断面図です。（実施例１）
【図２】本考案のハンガーの正面図と側面図と背面図です。
【図３】型の分割方向を変えた本考案の使用例の正面と、側面断面図です。（実施例２）
【符号の説明】
【００１４】１  フック
２  丁字の交点
３  Ｌ状のリブ
【図１】
2008018200.tif 000003
【図２】
2008018200.tif 000004
【手続補正書】
【提出日】平成18年10月2日(2006.10.2)
【手続補正１】
【補正対象書類名】図面
【補正対象項目名】全図
【補正方法】変更
【補正の内容】
【図１】
2008018200.tif 000005
【図２】
2008018200.tif 000006
【図３】
2008018200.tif 000007
(57)【要約】      （修正有）【課題】  従来、机やいすではカーテン状の布で周囲を囲み、季節や必要に応じカーテン状の布を開け閉めすることにより、簡易に足元の保温効果をあげるものが見当たらなかった。【解決手段】  机の天板１やいすの座板または側板２などにカーテンレール４を付けておく。そして必要に応じてカーテン５を取り付けたり、取り付けてあったカーテンを閉めたりすることにより、簡易に足元の保温効果をあげることができる。【選択図】図２
2008018198.tif 000002
【特許請求の範囲】
【請求項１】
カーテンレールを取り付けた机又はいす
【発明の詳細な説明】
【技術分野】
【０００１】  本発明は足元の保温効果を図った机やいすに関する。
【背景技術】
【０００２】  市場にはこたつにも使えるテーブルが市販されている。またこたつの掛け布団をカーテン状にするという考案もなされている（例えば、特許文献１参照。）。また、机に金具とマジックテープでカーテンを取り付け、こたつにできるという考案もなされている（例えば、特許文献２参照。）。【０００３】  市販されている、こたつにも使えるテーブルはテーブルの天板が取り外し出来るようにしてあり、また保温効果のためか、いすには仕切り板が取り付けてある。【０００４】  こたつの掛け布団をカーテン状にするという考案は掛け布団をカーテン状にして、こたつに止め具などで取り付けるというものである。【０００５】  机に金具とマジックテープでカーテンを取り付けるという考案は、机に金具で側板を取り付け、その金具のフックと側板に付けたマジックテープでカーテンを取り付け、こたつにできるというものである。目的は似ているがカーテンの取り付け方が違う。
【特許文献１】  特開２００４−３６１０６５号  公報
【特許文献２】  特開平８−２００３３０号  公報
【発明の開示】
【発明が解決しようとする課題】
【０００６】  市販されている、こたつにも使えるテーブルは天板の取り外しや仕切り板が取り付けなどで重厚なものになっており、簡便さに欠け、学習机などには応用しにくい。また掛け布団をカーテン状にする考案はこたつの掛け布団に関するものであり、止め具に関しては特定されていない。また、机に金具とマジックテープでカーテンを取り付けるという考案は、目的は似ているがカーテンの取り付け方が異なり、カーテンの開け閉めなど不便である。【０００７】  本発明は学習机にも応用でき、季節に応じ、簡易にそして適宜に足元の空気の出入りをふさぎ、保温効果が得られる机やいすを実現しようとするものである。
【課題を解決するための手段】
【０００８】  学習机やテーブル等の机やいすなどにカーテンレールを取り付けておく。
【発明の効果】
【０００９】  寒くなった時にそのカーテンレールにカーテンを取り付けたり、取り付けてあったカーテンを広げたりすることにより、簡易にそして適宜に足元の空気の出入りをふさぎ、保温効果をあげることができ、また足元に暖房器具などを置けば、その暖房効果もあげることができる。
【発明の実施するための最良の形態】
【００１０】  以下、本発明の基本的な実施形態を、机を例にして、図１〜図２に基づいて説明する。
【００１１】  図１のように机の天板１に、机を囲むようにカーテンレール４を取り付けておく。
【００１２】  寒くなってきた時に、図２のようにランナー６、フック７、カーテン５を取り付け、机の周りをカーテン５で囲み、足元の空気の出入りをふさいで保温効果を良くする。
【００１３】  暖かくなってきたら、カーテン５を机の後方に引いたり、取り外したりして足元の風通しを良くする。
【００１４】  ランナー６、フック７、カーテン５などは最初から付けておいても、また必要になった時に取り付けても良い。
【００１５】  カーテンレール４は天板１ばかりでなく側板２や却３の上方や引き出しの下などにも付けておくことができる。
【００１６】  以上、本発明の基本的な実施形態を机を例にして説明してきたが、いすにおいても同様に、カーテンレール４をいすの座板や側板、却などに取り付けておくことにより同じ様な効果をもたらすことができる。
【図面の簡単な説明】
【００１７】
【図１】本発明の実施形態を示す机の部分断面図
【図２】本発明の使用例を示す机の断面図
【符号の説明】
【００１８】      １  天板
２  側板
３  却
４  カーテンレール
５  カーテン
６  ランナー
７  フック
【図１】
2008018198.tif 000003
【図２】
2008018198.tif 000004
(57)【要約】【課題】認知症患者の徘徊防止のためにベッドに拘束する従来の技術においては、紐やベルトで腰部をベッドに拘束すると拘束感が大きく、患者によっては非常な苦痛を感じることがある。また、手や足を短く拘束性のある拘束具によって締め付けると使用者が動くことによって締め付け個所の皮膚が擦れてしまい長時間の使用ができないという問題がある。  【解決手段】弾性のある幅広で十分な長さがある本体の一端に長さ調節用の送り環を取り付け、この送り環に他端を通して一部を二重部にして長さの調節を可能にし、その他端に接続装置を取り付け、さらに、前記二重部内に、柔らかい感触のある幅広の帯状体による締め具を移動可能に嵌めたことを特徴とする。【選択図】        図１
2008018187.tif 000002
【特許請求の範囲】
【請求項１】
伸縮材製で、幅広で十分な長さがある平板状長尺本体の一端に長さ調節用の送り環を取り付け、この送り環に他端を通して一部を二重部にして長さの調節を可能にし、その他端に接続装置を取り付け、さらに、前記二重部内に、柔らかい感触のある帯状体製の締め具を移動可能に嵌めたことを特徴とするサポートバンド。
【発明の詳細な説明】
【技術分野】
【０００１】
本発明は、認知症患者の徘徊防止や簡易なトレーニング器具として用いることができるサポートバンドに関する。
【背景技術】
【０００２】
認知症患者の中には、ベッドから起きて徘徊する症状がある患者がいる。このような患者においては、日中もそうであるが、特に夜間における徘徊は介護者には監視が困難なことがあり、そのような患者に関しては、ベッドにベルト等によって腰部等を拘束する場合がある（例えば、特許文献１参照）。
【特許文献１】特開２０００−１９７６７１号公報  また、点滴等の治療中に患者の腕や足が動かないようにするために拘束具によって腕や足を動かないようにする技術がある（例えば、特許文献２参照）。
【特許文献２】特開２０００−２３７２２３号公報
【発明の開示】
【発明が解決しようとする課題】
【０００３】
しかしながら、上述した従来の技術においては、紐やベルトで腰部をベッドに拘束すると拘束感が大きく、患者によっては非常な苦痛を感じることがある。
また、手や足を短い拘束具によって締め付けると使用者が動くことによって締め付け個所の皮膚が擦れてしまい長時間の使用ができないという問題がある。また、身体の自由が大きく損なわれるという問題がある。
【０００４】
本発明は、このような問題を解決することを課題とし、ベッドに拘束しても自由度があって拘束感が少なく、しかも拘束した手や足の締め付け個所の負担が少ないようにすることを目的とする。
【課題を解決するための手段】
【０００５】
そこで本発明は、伸縮材製で、幅広で十分な長さがある平板状長尺本体の一端に長さ調節用の送り環を取り付け、この送り環に他端を通して一部を二重部にして長さの調節を可能にし、その他端に接続装置を取り付け、さらに、前記二重部内に、柔らかい感触のある帯状体製の締め具を移動可能に嵌めたことを特徴とする。
【発明の効果】
【０００６】
このようにした本発明によると、両手、さらには必要に応じては両足も束縛することによって、本体が長くしかも伸縮材製とし、締め具も柔軟であるために、手や足は束縛感が少なく長時間の束縛に耐えることができる。これによって、認知症患者の夜間等における徘徊を防止することができることになる。  
【発明を実施するための最良の形態】
【０００７】
以下、図面を参照して本発明による実施例を説明する。
【実施例】
【０００８】
図１は実施例を示す説明図、図２は接続装置等を開放した状態の説明図、図３は使用状態を示す説明図である。
１はゴムを編み込んだ伸縮材製で、幅広（本実施例では約５ｃｍ。）のベルト状の十分な長さ（本実施例では約１３０ｃｍ。）がある平板状長尺本体であり、一端に長さ調節用の送り環２を取り付け、この送り環２に他端を通して一部を二重部３に形成して長さの調節を可能にし、その他端に面ファスナー４を設け、その他端からワンタッチ式接続装置の一方の接続具５を移動可能に嵌め、他方の接続具６をこの面ファスナー４によって係止する。
【０００９】
さらに、前記二重部３の内側に位置するように、面ファスナー７によって環状に形成できる柔らかい感触のある幅広（本体１よりやや広い。）の帯状体による締め具８がベルト通し９によって移動可能に嵌めてある。１０は締め環であり、前記二重部３に移動可能に嵌めて二重部がひろがらないようにする。
上述した構成の作用について説明する。
【００１０】
ベッドの枠等に接続具５、６によって本体１の一端を取り付ける。そこで、利用者の手首や足首等に締め具８を回して嵌め、面ファスナー７によって止める。
本体１の長さの調節を送り環２によって調節する。この長さは手を移動したときに反対側の手の締め具８に届かない長さであり、その範囲内で可能な限り長く設定するとよく、これによって、睡眠時の寝返り等使用者の負担にならないようにする。
【００１１】
このようにして両手、さらには必要に応じては両足も束縛する。手や足は、このように束縛されても本体１が伸縮し、締め具８も柔軟であるために、束縛感が少なく長時間の束縛に耐えることができる。
これによって、認知症患者の夜間等における徘徊を防止することができる。
また、伸縮性があるために、束縛状態にして意識的に手足を動かすことによって、手足の筋肉を鍛えることができるトレーニング器具として使用することができ、定期的に行うことにより効果を得ることができる。
【図面の簡単な説明】
【００１２】
【図１】実施例を示す説明図
【図２】接続装置等を開放した状態の説明図
【図３】使用状態を示す説明図
【符号の説明】
【００１３】
１  平板状長尺本体
２  送り環
３  二重部
４  面ファスナー
５、６  接続具
７  面ファスナー
８  締め具
９  ベルト通し
１０  締め環
【図１】
2008018187.tif 000003
【図２】
2008018187.tif 000004
【図３】
2008018187.tif 000005